(57)【特許請求の範囲】
【請求項１】
出入口を開閉する両開きタイプの複数のドアパネルを備えたエレベータに関するドアロック装置において、
前記複数のドアパネルはそれぞれ、開閉方向に貫通する貫通穴を有しており、
前記複数のドアパネルの一方には、前記貫通穴の双方に突入・退出可能で且つ突入時に前記貫通穴の双方を貫通するプランジャが設けられており、
前記プランジャは、前記突入時、該プランジャと前記貫通穴とが引っ掛かることで前記ドアパネルの動きを規制するよう、水平方向に対して傾斜する方向に延びている、
ことを特徴とするエレベータのドアロック装置。
【請求項２】
出入口を開閉する片開きタイプの少なくとも一枚のドアパネルと、ドア全閉時に前記ドアパネルの端部と突き合せられる戸当り柱とを備えたエレベータに関するドアロック装置において、
前記ドアパネル及び前記戸当り柱はそれぞれ、開閉方向に貫通する貫通穴を有しており、
前記ドアパネル及び前記戸当り柱の一方には、前記貫通穴の双方に突入・退出可能で且つ突入時に前記貫通穴の双方を貫通するプランジャが設けられており、
前記プランジャは、前記突入時、該プランジャと前記貫通穴とが引っ掛かることで前記ドアパネルの動きを規制するよう、水平方向に対して傾斜する方向に延びている、
ことを特徴とするエレベータのドアロック装置。
【請求項３】
出入口を開閉するドアと、
前記ドアの下部に設けられたドアシューと、
前記ドアシューを収容する溝を有して前記ドアを開閉方向に案内する敷居とを備えたエレベータに関するドアロック装置において、
前記溝には、敷居ブロックが設けられており、
前記ドアには、該ドアの下面から前記溝に対して突入・退出可能なプランジャが設けられており、
ドア全閉時、前記プランジャが前記溝に突入して、前記ドアが開かれようとした際に、前記プランジャと前記敷居ブロックとが当接することで、該ドアの開き動作をロックする、
ことを特徴とするエレベータのドアロック装置。
【請求項４】
前記プランジャは、ソレノイドに設けられており、該ソレノイドのコイルが消磁されることによって突入状態となり、該コイルが励磁されることによって退出状態となる、
請求項１乃至３の何れか一項のエレベータのドアロック装置。
【発明の詳細な説明】
【技術分野】
【０００１】
本発明は、エレベータのドアロック装置に関するものである。
【背景技術】
【０００２】
通常、エレベータのかごドアは、その上部において、乗りかごの出入口の上方に配置されたレールに吊り下げられ、且つ、下部において、乗りかごの出入口の下側に設けられた敷居溝によって案内される。また、乗場ドアも同様に、上部において吊り下げられ、下部において敷居溝によって案内される。
【０００３】
かかるエレベータのドアのロックに関しては、例えば、特許文献１に開示された構成がある。かかる構成では、かご側の敷居が乗り場側の敷居に対向した位置にないときは、ばねが作動部材をロック部材側へと付勢し、ロック部材が敷居溝内に突入することでドアの走行を規制している。また、かご側の敷居が乗り場側の敷居に対向する位置にくると、ソレノイドを作動させ、その電磁力によって、作動部材をばねに抗してロック部材から離れる向きに移動させ、それによって、ロック部材を敷居溝内から退出させ、ドアの走行を可能な状態にする。
【０００４】
また、特許文献２には、ドアを吊持するハンガーの移動を規制することにより、乗かごの昇降中には、ドアの開閉動作をロックする構成が開示されている。
【０００５】
また、特許文献３には、ドア下面から下方に延びて敷居溝内に挿入されるドアシューに鉄片を設けておき、さらに、その鉄片と対面可能に敷居の溝画定面に電磁石が設けられ、電磁力によって、ドアシューを敷居の溝画定面に密着させることで、乗りかご移動中のドアの開閉を抑制する構成が開示されている。
【０００６】
しかしながら、特許文献１に開示の構成では、かご側に配置したソレノイドを始点として、最終的に、乗場側に配置したロック部材を制御するものであり、構成は複雑で且つ介在する部品点数が多くなるので、製造コストがかさむうえ、さらに保守・据付に手間がかかる問題がある。また、かご側と乗場側との境界部は、永久磁石と吸着片とが非接触で対面しており、非接触動作ゆえの誤動作を招く恐れは否定できない。さらに、かごと乗場との少ない隙間に装置が実装されるため、乗りかごの揺れ等で構成部品同士が衝突し、機器破損に至る可能性も皆無ではない。
【０００７】
さらに、特許文献２に開示の構成は、ハンガーの位置を規制するものであるが、ハンガーは、出入口の開口部よりも上方に配置されるため、ドアにおいてかご内から戸開する力がかかる作用点からは距離が大きくなる。そのため、ハンガーの移動を規制しても、ハンガーローラを支点としたモーメントによってドアが僅かに回転し、ドアの下端部が開く恐れがある。また、ドアに対し、前後方向（出入口の出入方向）に荷重がかかった場合には、施錠効果は期待できない。
【０００８】
また、特許文献３に開示の構成は、そもそも、乗りかごの走行中に風圧等でかごドアが振動することを防ぐものであり、ドアの開き動作を防止する効果は期待できない。
【先行技術文献】
【特許文献】
【０００９】
【特許文献１】特開平５−１３２２７２号公報
【特許文献２】実開昭６３−４８７７９号公報
【特許文献３】特開平９−２７２６８０号公報
【発明の概要】
【発明が解決しようとする課題】
【００１０】
本発明は、上述した事情に鑑みてなされたものであり、複雑な構成を伴わずに、ドアにおける開閉方向及び前後方向の２方向に関する好ましくない動作を規制することができる、エレベータのドアロック装置を提供することを目的とする。
【課題を解決するための手段】
【００１１】
上述した目的を達成するため、本発明は、出入口を開閉するドアと、前記ドアの下部に設けられたドアシューと、前記ドアシューを収容する溝を有して前記ドアを開閉方向に案内する敷居とを備えたエレベータに関するドアロック装置において、前記ドアシューには、貫通穴が設けられており、前記敷居には、前記溝内に突入・退出可能で且つ突入時に前記貫通穴を貫通するプランジャが設けられている。
【発明の効果】
【００１２】
本発明によれば、複雑な構成を伴わずに、ドアにおける開閉方向及び前後方向の２方向に関する好ましくない動作を規制することができる。
【図面の簡単な説明】
【００１３】
【図１】本発明の実施の形態１のドアロック装置を適用するエレベータの乗りかごドアを乗場側から示す模式図である。
【図２】敷居及びかごドアの下部近傍を図１の矢印ＩＩの向きから示す図である。
【図３】図２のドアシューを矢印ＩＩＩの向きから示す図である。
【図４】実施の形態２に関する図２と同態様の図である。
【図５】実施の形態３及び４に関し、かごドア及びロックに関する機構を乗降方向から示す図である。
【図６】実施の形態５に関し、かごドア及びロックに関する機構を乗降方向から示す図である。
【図７】図６のＶＩＩ線からみた構成を示す図である。
【発明を実施するための形態】
【００１４】
以下、本発明に係るエレベータのドアロック装置の実施の形態について添付図面に基づいて説明する。なお、図中、同一符号は同一又は対応部分を示すものとする。
【００１５】
実施の形態１．
図１は、本実施の形態のドアロックを適用するエレベータの乗りかごのドアを乗場側から示す模式図である。乗りかごには、出入口を開閉するかごドア１が設けられている。かごドア１は、図示例では、両開きタイプの左右一対のドアパネル３，３で構成されている。図１は、左右一対のドアパネル３，３が突き合せ面ＡＦにおいて突き合せられている全閉状態を示している。
【００１６】
ドアパネル３，３のそれぞれの上端には、ドアハンガー５が設けられている。出入口の上縁部には左右方向（ドア開閉方向）に配置された桁７が設けられている。桁７にはレール９が左右方向に配置されている。ドアハンガー５のそれぞれには、複数のハンガーローラ１１が設けられている。それらハンガーローラ１１がレール９に沿って移動することで、ドアハンガー５の水平移動、すなわちドアパネル３，３の開閉移動が案内される。
【００１７】
また、桁７には、一対の巻掛車１３，１３が回転可能に設けられている。一対の巻掛車１３，１３は、互いに離れて設けられており、それらの間には、無端状をなすベルト等でよい周回部材１５が巻き掛けられて張設されている。
【００１８】
周回部材１５には、一対の連結具１７，１７が設けられている。一方の連結具１７の上端は、周回部材１５のうちの上方を走行する部分に連結され、下端は、一方のドアパネル３に連結されている。他方の連結具１７は、周回部材１５のうちの下方を走行する部分に連結され、下端は、他方のドアパネル３に連結されている。
【００１９】
モータ１９によって、周回部材１５が駆動されると、一対の連結具１７，１７上方走行部と下方走行部とが相互に反対方向に移動し、それによって左右一対のドアパネル３，３もまた相互に反対方向に移動し、つまり出入口に対して開閉動作がなされる。なお、かかるドア開閉機構は、あくまでも一例であり、本発明を実施するうえでのドア開閉機構は、これに限定されるものではない。
【００２０】
ドアパネル３，３は、それらの下側においては、敷居２１によって開閉方向に案内される。図２及び図３に基づいて、敷居、並びに敷居に関連して設けられる本実施の形態のエレベータのドアロック装置の詳細について説明する。図２は、敷居及びかごドアの下部近傍を図１の矢印ＩＩの向きから示す図である。図３は、図２のドアシューを矢印ＩＩＩの向きから示す図である。
【００２１】
図２及び図３に示されるように、ドアパネル３，３の下部には、ドアシュー２３が設けられている。ドアシュー２３は、シュー部分２３ａと、そのシュー部分２３ａを支持する支持板２３ｂとを含んでいる。また、敷居２１は、ドアシュー２３を収容、特にシュー部分２３ａを収容する溝２５を有している。
【００２２】
ドアシュー２３には貫通穴２７が設けられており、本実施の形態として具体的には、支持板２３ｂに貫通穴２７が設けられている。貫通穴２７は、シュー部分２３ａの下方において、前後方向（乗りかごと乗場との乗降方法）すなわち図２の紙面左右方向（図３の紙面に垂直方向）に支持板２３ｂを貫通している。ドアシュー２３は、支持板２３ｂにおけるシュー部分２３ａの上方の領域において、適当な締結具２９によって、ドアパネル３の下部に固定されている。
【００２３】
敷居２１における溝２５の前後方向の一方の近傍には、プランジャ３１が設けられている。プランジャ３１は、前後方向に水平に延び、溝２５内に選択的に突入・退出可能に設けられている。プランジャ３１は、図２に一点鎖線で示されているように、突入時には貫通穴２７を貫通するように構成されている。なお、他の図面においても、同様に、プランジャ動作後の突入状態を、一点鎖線で示すものとする。
【００２４】
プランジャ３１は、ソレノイド３３の構成要素の一つであり、ソレノイド３３は、さらに、プランジャ３１を動作させるための電磁力を発生させるコイル３５と、プランジャ３１を突入方向へと常時付勢する突入用付勢ばね３７とを含んでいる。
【００２５】
以上のように構成された本実施の形態１に係るエレベータのドアロック装置においては、乗りかごが昇降中もしくは階間停止中のときには、ソレノイド３３は消磁され、プランジャ３１は、突入用付勢ばね３７の付勢力によってドアシュー２３の貫通穴２７に突入貫通し、これらプランジャ３１とドアシュー２３との係合によって、かごドア１がロックされ、利用者の安全性をより高めることができる。また、かごドア１に対して前後方向に過大な力が作用しても、プランジャ３１がドアシュー２３の貫通穴２７を貫通していることから、ドアシュー２３が敷居２１の溝２５から脱離するようなことはなく、利用者による好ましくない無理な脱出を防ぐことができ、その点でも、安全性をより高めることができる。一方、エレベータが適正に着床した時（ドアゾーンに入っている間）は、ソレノイド３３が励磁され、コイル３５で生じた電磁力によりプランジャ３１が引き込みすなわち貫通穴２７から退出するため、円滑にかごドア１の自動開閉を行うことができる。
【００２６】
このように、本実施の形態によれば、既存のエレベータに対し、実質的には、貫通穴とソレノイドとを設けるという、シンプルな構成により、ドアにおける開閉方向及び前後方向の２方向に関する好ましくないドア動作を規制することができる。すなわち、本実施の形態では、プランジャのスライドという一方向への機器の動作によって二方向へのドアの位置抑制を同時に達成することができ、つまりは、単純な機器構成で、ドアにかかる左右方向の荷重と前後方向の荷重に対する耐力を同時に上げ、より安全性の高いエレベータを提供することができる。
【００２７】
実施の形態２．
次に、図４に基づいて、本実施の形態２に係るエレベータのドアロック装置について説明する。図４は、本実施の形態２に関する図２と同態様の図である。本実施の形態２は、図４から分かるように、プランジャ３１が、水平方向に対して傾斜する方向に延びている点で実施の形態１と異なる。より詳細には、ソレノイド３３は、敷居２１における乗場側に設けられており、プランジャ３１は乗場側から貫通穴２７に差し込まれ、プランジャ３１は先端ほど上方に位置する向きで（乗場側から乗りかご室内側へと上向きで）水平方向に対して傾斜している。
【００２８】
このような本実施の形態２によっても、実施の形態１と同様な上記の利点が得られ、さらに、ドアシューがかご敷居から外れるまでの耐荷重をより向上している。これは、乗りかご内から乗場側へ向かう向きの荷重がドアに加わると、ドアが湾曲しドアシューが傾くことがありうるが、その場合でも、プランジャがドアシューから確実に抜けない構造になるためである。
【００２９】
実施の形態３．
次に、図５に基づいて、本実施の形態３に係るエレベータのドアロック装置について説明する。図５は、本実施の形態３に関し、かごドアとロックに関連する構成とを乗降方向から示す図であり、全閉状態を示している。本実施の形態３は、かごドアとして、両開きタイプの左右一対のドアパネル３，３が用いられている態様を対象としており、左右一対のドアパネル３，３のそれぞれの端面であって、突き合せ面ＡＦにおいて突き合せられる側の端面に、貫通穴２７が形成されている。左右一対の貫通穴２７は、ドア開閉方向に延びている。
【００３０】
また、左右一対のドアパネル３，３の一方には、ドア全閉時、左右一対の貫通穴２７の双方に突入・退出可能で且つ突入時に貫通穴２７の双方を貫通するプランジャ３１が設けられている。プランジャ３１は、ソレノイド３３の構成要素の一つであり、図５に示されるように、水平方向に対して傾斜する方向に延びている。
【００３１】
このような本実施の形態３によっても、ロック時の望ましくないドアの動きに対しプランジャ３１と貫通穴２７とが引っ掛かることで、実施の形態１と同様な上記の利点が得られ、さらに、ドアパネルに実装されるため機器のアクセスがよく調整が簡易化される利点もある。また、敷居に内蔵する必要がないという点では、加工時間が少なくてすむため、安価に実現できる利点もある。
【００３２】
実施の形態４．
次に、同じく、図５に基づいて、本実施の形態４に係るエレベータのドアロック装置について説明する。本実施の形態４は、かごドアとして、片開きタイプの少なくとも一枚のドアパネル３が用いられている態様を対象としており、実施の形態３における一方のドアパネルが、片開きタイプのドアパネル３であり、実施の形態３における他方のドアパネル３が、ドア全閉時にドアパネル３の端部と突き合せられる戸当り柱４１に置き換えたものである。したがって、上述した実施の形態３と同様な利点が得られている。
【００３３】
実施の形態５．
さらに、図６及び図７に基づいて、本実施の形態５に係るエレベータのドアロック装置について説明する。図６は、本実施の形態５に関し、かごドアとロックに関連する構成とを乗降方向から示す図であり、全閉状態を示している。図７は、図６のＶＩＩ線からみた構成を示す図である。
【００３４】
図６における一点鎖線Ｃは、かごドアが、出入口を開閉する両開きタイプの複数枚のドアパネルからなる態様であれば、全閉時、左右のドアパネルが突き合せられる突き合せ面に相当し、かごドアが、出入口を開閉する片開きタイプの少なくとも一枚のドアパネルからなる態様であれば、戸当り柱の端面に相当する部位である。
【００３５】
ドアシュー２３を収容する敷居２１の溝２５内には、周知の敷居ブロック５１が設けられている。敷居ブロック５１は、ドア全閉時におけるドアシュー２３の戸閉方向でいう前方に配置されている。
【００３６】
また、該当するドアパネル３には、その下面から溝２５に対して突入・退出可能なプランジャ３１が設けられている。プランジャ３１は、その突入位置が、ドア全閉時における敷居ブロック５１の戸閉方向でいう前方に配置されている。すなわち、ドア全閉状態においてプランジャ３１が溝２５内に突入後は、その状態で、さらに、ドアパネル３を戸開方向に移動させようとすると、プランジャ３１が敷居ブロック５１に当接する構成にあるといえる。
【００３７】
このような本実施の形態５によっても、ロック時の望ましくないドアの動きに対しプランジャと敷居ブロックとが引っ掛かることで、実施の形態１と同様な上記の利点が得られている。
【００３８】
以上、好ましい実施の形態を参照して本発明の内容を具体的に説明したが、本発明の基本的技術思想及び教示に基づいて、当業者であれば、種々の改変態様を採り得ることは自明である。
【００３９】
例えば、上述した実施の形態ではそれぞれ、かごドアのロックを行う態様として説明してきたが、本発明はこれに限定されるものではなく、上述した実施の形態それぞれに関し、かごドアを乗場ドアに置き換えて実施することも可能である。
【符号の説明】
【００４０】
１  かごドア、３  左右一対のドアパネル、２１  敷居、２３  ドアシュー、２５  溝、２７  貫通穴、３１  プランジャ、３３  ソレノイド、４１  戸当り柱、５１  敷居ブロック。
【図１】
0005971643.tif 000002
【図２】
0005971643.tif 000003
【図３】
0005971643.tif 000004
【図４】
0005971643.tif 000005
【図５】
0005971643.tif 000006
【図６】
0005971643.tif 000007
【図７】
0005971643.tif 000008